(57)【要約】【課題】製本化に際し、トナー剥がれを防止し、かつ、クリアトナーの消費量を低減することができる画像形成システムを提供する。【解決手段】画像形成システムは、有色画像形成装置１００と、その後段に接続されるクリアコート画像形成装置２００と、更にその後段に接続される製本装置６００とから構成されている。有色画像形成装置１００とクリアコート画像形成装置２００は、製本装置６００による折りモードが指定された時、用紙の折り位置にクリアコート画像を形成する制御手段としてのジョブ制御部４０１、５０１を有する。【選択図】図１
2007322819.tif 000002
【特許請求の範囲】
【請求項１】
複数の有色トナー画像を形成する有色画像形成装置と、定着後に透明になるクリアトナーを用いてクリアコート画像を形成するクリアコート画像形成装置と、製本装置とが連接される画像形成システムにおいて、
前記製本装置による折りモードが指定された時、用紙の折り位置にクリアコート画像を形成する制御手段を備えることを特徴とする画像形成システム。
【請求項２】
前記制御手段は、有色画像データ展開時に、用紙の折り位置にクリアコート画像が形成されるように、クリアコート画像データを生成し、前記クリアコート画像形成装置に転送することを特徴とする請求項１記載の画像形成システム。
【請求項３】
前記制御手段は、前記折りモードが指定された時、用紙の折り位置を決定し、折り位置にクリアコート画像が形成されるように、前記クリアコート画像形成装置で画像枠を決め、前記有色画像形成装置からの画像データ無しに、画像枠内にクリアコート画像を形成することを特徴とする請求項１記載の画像形成システム。
【請求項４】
前記制御手段は、表紙の折り位置のみにクリアコート画像を形成することを特徴とする請求項１記載の画像形成システム。
【請求項５】
前記制御手段は、表紙及び最内側ページの折り位置のみにクリアコート画像を形成することを特徴とする請求項１記載の画像形成システム。
【請求項６】
前記制御手段は、用紙の折り位置に、有色トナー画像が無い時は、折り位置におけるクリアコート画像の形成を停止することを特徴とする請求項１記載の画像形成システム。
【発明の詳細な説明】
【技術分野】
【０００１】
本発明は、複数の有色トナー画像を形成する有色画像形成装置と、定着後に透明になるクリアトナーを用いてクリアコート画像を形成するクリアコート画像形成装置と、製本装置とが連接される画像形成システムに関する。
【背景技術】
【０００２】
近年、フルカラーの電子写真画像形成装置（有色画像形成装置）に対する高画質化の要望が強くなってきている。更に、デジタルカメラの普及が促進していることもあり、高画質な写真調の画像モードを電子写真画像形成装置において実現することが望まれている。
【０００３】
また、有色画像形成装置とクリアコート画像形成装置が連接され、高画質な写真調の画像出力を行った上で、その用紙上に、定着後にクリアとなるトナー象を更に画像形成する画像形成システムが提案されている（例えば、特許文献１参照）。
【０００４】
また、画像形成済みの用紙を折り曲げて製本化する折りモード、ステイプルモードを実行する製本装置を画像形成装置の後段に連接する画像形成システムも知られている。
【特許文献１】特開平０３−１３０７９号公報
【発明の開示】
【発明が解決しようとする課題】
【０００５】
従来の製本装置を備えた画像形成システムにおいて、トナー像を載せて定着した用紙を製本装置で折り曲げると、トナーが用紙の折り位置で剥れるという問題が発生していた。また、製本時に折り位置で定着したトナーが剥れなくても、その後ユーザが製本された紙を開閉したり、折り位置を何かに接触させることにより、折り位置でトナーが剥れてしまうという問題がある。
【０００６】
この折り位置のトナーが剥れてしまうと、製本品位が落ち、見栄えが悪くなり、剥れたトナーが、製本された用紙近傍を汚してしまうことになる。
【０００７】
上記問題解決するために、用紙の折り位置に、トナー画像を形成しないようにすることも考えられるが、表紙の折り位置にトナー画像がないと、見栄えが悪くなる問題がある。
【０００８】
このトナーが剥れる問題を、上記クリアトナーを用いてクリアコート画像を形成することで解決することが考えられるが、クリアトナーを用紙全面に形成すると、クリアトナーの浪費につながる。
【０００９】
また、一枚一枚ユーザにクリアトナーの画像形成位置を指定させると、ユーザの操作負担が大きくなってしまう。
【００１０】
更に、用紙の中心でステイプルし、折り曲げる処理を行う場合、全ての用紙に対してクリアコートすると、用紙中心の厚みが増し、正確にステイプルできない場合もある。
【００１１】
本発明の目的は、製本化に際し、トナー剥がれを防止し、かつ、クリアトナーの消費量を低減することができる画像形成システムを提供することにある。
【課題を解決するための手段】
【００１２】
上記目的を達成するために、請求項１記載の画像形成システムは、複数の有色トナー画像を形成する有色画像形成装置と、定着後に透明になるクリアトナーを用いてクリアコート画像を形成するクリアコート画像形成装置と、製本装置とが連接される画像形成システムにおいて、前記製本装置による折りモードが指定された時、用紙の折り位置にクリアコート画像を形成する制御手段を備えることを特徴とする。
【発明の効果】
【００１３】
本発明の画像形成システムは、製本装置による折りモードが指定された時、用紙の折り位置にクリアコート画像を形成する制御手段を備える。即ち、ユーザの手を煩わせることなく、最小限のクリアトナーを用いて、トナーの剥がれやすい折り位置にのみクリアコートすることができる。従って、製本化に際し、トナー剥がれを防止し、かつ、クリアトナーの消費量を低減することができる。
【発明を実施するための最良の形態】
【００１４】
以下、本発明の実施の形態を図面に従って説明する。
【００１５】
図１は、本発明の実施の形態に係る画像形成システムの構成を概略的に示す図である。
【００１６】
図１において、画像形成システムは、有色画像形成装置１００と、その後段に接続されるクリアコート画像形成装置２００と、更にその後段に接続される製本装置６００とから構成されている。
【００１７】
有色画像形成装置１００は、原稿載置台としてのプラテンガラス１０１、スキャナ１０２を備える。スキャナ１０２は、原稿照明ランプ１０３、走査ミラー１０４乃至１０６、レンズ１０７、イメージセンサ部１０８等から構成されている。
【００１８】
スキャナ１０２は、不図示のモータによって所定方向に往復走査する。この往復走査中に原稿からの反射光が、走査ミラー１０４乃至１０６を介してレンズ１０７を透過し、イメージセンサ部１０８内のＣＣＤセンサに結像する。
【００１９】
露光制御部１０９は、レーザーやポリゴンスキャナ等で構成されている。この露光制御部１０９は、イメージセンサ部１０８で電気信号に変換され、かつ、後述する所定の画像処理をされた画像信号に基づいて変調されたレーザー光１１９を、折り返しミラー１１０により反射し、感光体ドラム１１１に照射する。有色画像形成装置の露光制御部の詳細は図３を用いて後述する。
【００２０】
感光体ドラム１１１の周囲には、感光体ドラム１１１上の電位を消去するための前露光ランプ１２１、感光体ドラム１１１に電位を負荷するための、ワイヤーに高圧をかけることによってコロナ放電させる１次帯電器１１２が配置されている。
【００２１】
また、感光体ドラム１１１の周囲には、現像ロータリ１１７、感光ドラム１１１上に現像された画像を一時的に保持する中間転写体１１８、中間転写体１１８に画像を転写する１次転写ローラ１２２、感光体ドラムクリーナ１２０が配置されている。
【００２２】
感光体ドラム１１１上にレーザー光１１９により形成された静電潜像を現像するトナーが充填されている現像器１１３乃至１１６が、各現像器１１３乃至１１６を順次感光体ドラム１１１に接するように移動させる現像ロータリ１１７内に収容されている。
【００２３】
感光体ドラム１１１は、不図示のモータによって回転しており、１次帯電器１１２により所望の電位に帯電された後、露光制御部１０９からのレーザー光１１９が折り返しミラー１１０により、感光体ドラム１１１に向けて、角度を変えて照射される。これにより、感光体ドラム１１１上に静電潜像が形成される。
【００２４】
現像ロータリ１１７によって、１色目の現像器１１３を感光体ドラム１１１へ接するように移動させ、現像器１１３内のトナーをこの静電潜像に静電的に付着させ、感光体ドラム１１１上にトナー像を形成する。
【００２５】
現像ロータリ１１７に収容されている４色の現像器１１３乃至１１６内のトナーによって、フルカラーの画像を形成する場合には、感光体ドラム１１１上に現像された１色目のトナー像は、１次転写ローラ１２２により、中間転写体１１８へ一時的に転写される。その後、現像ロータリ１１７により、２色目の現像器１１４が感光体ドラム１１１に接する。
【００２６】
このとき、中間転写体１１８上に１次転写されている１色目の現像画像の先端と感光体ドラム１１１上に現像される２色目の現像画像の先端が１次転写ローラ１２２の位置で完全に一致するタイミングで、再度、露光制御部１０９からレーザー光１１９が照射される。
【００２７】
２色目の静電潜像画像も同様にして２色目の現像器１１４によって現像され、中間転写体１１８上に１次転写されている１色目の現像画像の上に２色目の現像画像を重ね合わせる。この重ね合わせを３色目、４色目と繰り返すことにより、中間転写体１１８上に４色フルカラーの現像画像を転写する。
【００２８】
一方、第１の給紙カセット１３３、第２の給紙カセット１３４、第３の給紙カセット１３５あるいは第４の給紙カセット１３６からピックアップローラ１２５、１２６、１２７、１２８によって用紙が給紙される。給紙された用紙は、給紙ローラ１２９、１３０、１３１、１３２によってレジストローラ１４３に向けて搬送される。
【００２９】
停止しているレジストローラ１４３の近傍まで搬送された用紙は、中間転写体１１８に結像されている未定着トナー画像先端と用紙先端が一致するようにレジストローラ１４３が駆動されることで２次転写部に搬送される。そして、２次転写ローラ１２３に転写バイアスがかけられ、用紙上に画像が２次転写される。その後、用紙は搬送ベルト１４４に搬送される。
【００３０】
一方、中間転写体１１８には、２次転写ローラ１２３によって用紙に転写されなかった残留トナーがあり、中間転写体クリーナ１２４によって、クリーニングが開始される。この中間転写体クリーナ１２４は、着脱自在で２次転写された画像の残トナーの先端が中間転写体クリーナ１２４に到達する直前に中間転写体１１８に接する。
【００３１】
そして、次の未定着トナー画像の１色目の画像が１次転写ローラ１２２によって、中間転写体１１８に転写され、その画像先端が再び中間転写体クリーナ１２４の直前に来たら、離れるように制御される。
【００３２】
また、１次転写ローラ１２２によって、中間転写体１１８に画像が転写された感光体ドラム１１１上にも残トナーがあり、こちらは、感光体ドラムクリーナ１２０によって清掃される。この後、前露光ランプ１２１によって感光体ドラム１１１の残留電荷が消去される。
【００３３】
中間転写体１１８から画像を転写された用紙は、搬送ベルト１４４によって定着器１４５に搬送される。この定着器１４５は、上部のヒートローラと下部から圧着される定着ベルトからなり、用紙に転写されたトナー像は、定着器１４５によって、加圧されると共に加熱されて定着する。その後、用紙は内排紙ローラ１４７、外排紙ローラ１４８によって有色画像形成装置１００の外部に排出される。
【００３４】
更に、図１において、排紙部には排紙フラッパ１４６があり、用紙の進路を搬送経路１３８と反転経路１３９の何れか一方に切り替える。用紙の両面に画像を形成する両面記録（両面複写）の際には、排紙フラッパ１４６を上方に上げることによって、内排紙ローラ１４７から送り出される用紙を反転経路１３９に進入させ、両面反転搬送経路１４０に搬送する。
【００３５】
その後、フラッパ１３７を切り替えて進行方向を逆転させることにより、用紙は裏返された状態で再給紙経路１４１に導かれる。再給紙経路１４１先端には、用紙を画像形成位置（転写位置）に再給紙する再給紙ローラ１４２が設けられる。
【００３６】
外排紙ローラ１４８は、排紙フラッパ１４６の近傍に配置されており、この排紙フラッパ１４６により進路を搬送経路１３８側に切り替えられた用紙を有色画像形成装置１００の外部に排出する。有色画像形成装置１００から用紙を反転して排出する際には、排紙フラッパ１４６を上方に上げ、反転ローラ１４９によって用紙の後端が反転フラッパ１５０を通過した状態の位置まで反転経路１３９へ送り込む。この後、反転フラッパ１５０を切り替えて反転ローラ１４９を逆転させることによって用紙を裏返して外排紙ローラ１４８側に送り出す。
【００３７】
自動原稿給送装置（ＡＤＦ）１７０は、スキャナ１０２で原稿を読み取ることができる位置まで、自動的に原稿を給送する。
【００３８】
ＡＤＦ１７０は、最大１００枚の原稿を載置することができる原稿載置台１７１、原稿を給紙するための原稿給紙ローラ１７２、原稿給紙ローラ１７２から給紙される原稿を両面読み取るための原稿両面反転ローラ１７３、原稿搬送ベルト１７４を備える。
【００３９】
原稿搬送ベルト１７４は、原稿給紙ローラ１７２、あるいは原稿両面反転ローラ１７３から搬送されてくる原稿をプラテンガラス１０１上に搬送する。原稿搬送ベルト１７４は、原稿を読み取り位置で停止させ、原稿の裏面を読み取る際には、原稿両面反転ローラ１７３へ戻し、原稿排出口１７５に排出するように制御される。原稿排出トレイ１７５は、最大積載枚数が原稿載置台１７１と同様に１００枚以上である。
【００４０】
クリアコート画像形成装置２００において、符号２００番台で示す各ユニットは、有色画像形成装置１００において、符号１００番台で示す各ユニットと対応しており、重複する説明は省略する。
【００４１】
クリアコート画像形成装置２００の露光制御部２０９の詳細は図４を用いて後述する。現像器２１３には、クリア色のトナーが収容されている。
【００４２】
有色画像形成装置１００によって画像形成された用紙が外排紙ローラ１４８によりクリアコート画像形成装置２００内に搬送されてくる。クリアコート画像形成装置２００内のローラにより用紙の受け渡しが行われ、用紙はレジストローラ２４３に向けて搬送される。以降の画像形成動作、用紙の搬送・排紙動作は有色画像形成装置１００と同様である。
【００４３】
クリアコート画像形成装置２００の外排紙ローラ２４８から排出された用紙は、製本装置６００に搬送される。折りモードが指定されない時、切替フラッパ６０４をストレート搬送路６０５に用紙を搬送する方向にしておく。切替フラッパ６０４を通過した用紙は、ストレート搬送路６０５を経由し、排紙ローラ６０３により機外に排出され、第一排紙トレイ６０１に積載される。
【００４４】
折りモードが指定された時、切替フラッパ６０４を折り搬送路６０６に用紙を搬送する方向にしておく。切替フラッパ６０４を通過した用紙は、折り搬送路６０６を経由し、一次スタック６０７に格納される。複数枚格納すると、押し出し機構６１１が、折りローラ６０９の方向に移動し、格納された用紙の中央部が押し出し機構６１１に押されながら、折りローラ６０９に押し出され、折りローラ６０９により用紙副走査方向中心で折目がつく。
【００４５】
ここで、用紙副走査方向中心で折目がつくように、用紙サイズに応じて、一次スタック６０７は、上下に移動可能である。折りローラ６０９で折目がついた用紙は、搬送路６１０を経由して、第二排紙トレイ６０２に積載される。折りモードに加え、ステイプルモードが指定された時は、ステイプル機構６０８により、用紙副走査方向中心にステイプルすることができる。この製本装置６００の折りモード時に出力される製本イメージは後述する。
【００４６】
図２は、図１における有色画像形成装置の操作部パネルを示す図である。
【００４７】
図２において、操作部パネル３００は、ＬＣＤ表示部３０１、１０キー３０２、スタートキー３０３、ストップキー３０４、ソフト電源キー３０５、節電モードキー３０６、リセットキー３０７、ガイドキー３０８、ユーザモードキー３０９を備える。
【００４８】
タッチパネル式のＬＣＤ表示部３０１は、有色画像形成装置１００のモード設定や状態表示などを行う。１０キー３０２は、０から９までの数字の入力キーと設定をデフォルト値に戻すためのクリアキーからなる。スタートキー３０３は、コピー機能やスキャン機能などを実行するときに押下する。
【００４９】
ストップキー３０４は、コピー機能やプリント機能、スキャン機能などのジョブを中止したいときに押下するキーである。ソフト電源キー３０５は、有色画像形成装置１００のモータなどの各負荷の電力を落としたいが、ＣＰＵやネットワークなどは起動しておきたいときに使用するキーである。
【００５０】
節電モードキー３０６は、定着器１４５の温調制御をユーザモードで設定されたレベルで行うためにユーザが押下するためのキーである。リセットキー３０７は、ＬＣＤ表示部３０１や１０キー３０２などで設定された機能をデフォルト値にリセットするためのキーである。
【００５１】
ガイドキー３０８は、ＬＣＤ表示部３０１において設定される各コピー機能やプリント機能、スキャン機能、ユーザモードキー３０９で表示され、設定／実行される各ユーザモードの説明を表示するためのキーである。
【００５２】
ユーザモードキー３０９は、有色画像形成装置１００の各機能のデフォルト値設定やユーザが任意に行うことが可能な階調補正などの調整項目を実行する調整モードを設定し、更にＩＰアドレスなど各種ネットワークの設定などを行う。
【００５３】
この操作部パネル３００により、片面クリアコート画像形成モード、両面クリアコート画像形成動作モード等の操作モードをユーザが指定することが可能となる。
【００５４】
図３は、図１における有色画像形成装置の回路構成を概略的に示す図である。
【００５５】
図３において、操作部４００は、図２の操作パネル３００を制御するための回路である。ジョブ制御部４０１は、有色画像形成装置１００を制御するためのプログラムが書き込まれたＲＯＭやプログラムが展開されるＲＡＭ、またそのプログラムを実行するＣＰＵなどを含む回路である。
【００５６】
操作部４００は、ジョブ制御部４０１に接続され、操作部４００で指示されるがジョブ制御部４０１へ通知される。ジョブ制御部４０１のプログラムにより、通知された操作モードに応じてコピージョブやスキャンジョブなどが生成される。
【００５７】
また、ジョブ制御部４０１は、原稿画像を読み取るスキャナ１０２を制御する不図示のＣＰＵ回路との通信Ｉ／Ｆであるリーダー制御通信Ｉ／Ｆ４０６、クリアコート画像形成装置２００との制御を司るクリアコート画像形成装置制御通信Ｉ／Ｆ４１９と接続される。
【００５８】
また、ジョブ制御部４０１は、不図示のパソコンなどから送られてくるＰＤＬ画像データをビットマップ画像に展開する不図示のＰＤＬ画像制御部のＣＰＵ回路との通信Ｉ／ＦであるＰＤＬ制御通信Ｉ／Ｆ４０７と接続される。
【００５９】
また、ジョブ制御部４０１は、ＰＤＬ画像やリーダー画像を有色画像形成装置１００の各現像ステーションに送出するための画像データを制御する画像制御部４０２、各負荷を駆動制御して画像を形成するプリント制御部４１１と接続される。すなわち、有色画像形成装置１００の全体の制御を司っている。
【００６０】
画像制御部４０２は、ジョブ制御部４０１で生成されたジョブに従った各画像関連回路の設定を行う回路である。本実施の形態においては、この画像制御部４０２に、ＰＤＬ画像Ｉ／Ｆ４０８からＰＤＬ画像データが、また、リーダー画像Ｉ／Ｆ４０９からリーダー画像データが送られる。
【００６１】
揮発性のメモリからなる画像メモリ４０３にどちらの画像データを有効にするかを決める画像セレクタ４１０を設定し、また、画像メモリ４０３に対して、画像セレクタ４１０からの画像データをどの領域に記憶するかを設定する。
【００６２】
更に、ＨＤＤに代表されるような不揮発性のメモリで構成される画像蓄積部４０５の設定や画像メモリ４０３からのビットマップ画像データを圧縮して画像蓄積部４０５へ送り込む設定が行われる。また、画像蓄積部４０５からの圧縮画像データを伸長して再び画像メモリ４０３へ戻す画像圧縮伸長部４０４の設定も行う。
【００６３】
また、実際に画像データを現像し、印字するために画像メモリ４０３からカラー画像データを読み出し、画像処理部４１４で所望の画像処理を行う。プリント制御部４１１では、ジョブ制御部４０１から指示された内容で設定される画像制御部４０２の各設定に従って、最終的にプリント画像制御部４１３によって送出されてくる各色の画像データを受け取り、プリント画像制御部４１３に指示を出す。プリント画像制御部４１３は各色のレーザー４１６へ画像データを送出する。
【００６４】
また、プリント画像制御部４１３では、プリント制御部４１１からの指示に従って、画像データを感光体の感度特性が反映されているＬＵＴ（ＬｏｏｋＵｐＴａｂｌｅ）４１５の設定を行う。
【００６５】
このＬＵＴ４１５は、感光体上の感度特性の変化や、レーザー露光量、一次帯電器からの帯電量などが変化することによって、画像の濃度が所望の濃度にならない場合に、入力される画像データに対して画像濃度を変化させ、所望の濃度が出るように変換する。この各色のＬＵＴ４１５を経由した画像データが、レーザー４１６に出力され、各現像器１１３乃至１１６により、感光体上に潜像形成される。
【００６６】
更に、プリント制御部４１１は、用紙搬送制御部４１２に対してプリント画像制御部４１３と同期させて、各給紙段１３０乃至１３３から給紙した用紙に対して、中間転写体１１８上に結像された全色のトナー画像を転写し、印字を行うように制御する。また、定着器１４５を通して、用紙上に画像を作像するように制御する。プリント画像制御部４１３には第一、第二パッチ検知センサ４１７、４１８が接続されている。
【００６７】
図４は、図１におけるクリアコート画像形成装置の回路構成を概略的に示す図である。
【００６８】
図４において、ジョブ制御部５０１は、クリアコート画像形成装置２００を制御するためのプログラムが書き込まれたＲＯＭやプログラムが展開されるＲＡＭ、またそのプログラムを実行するＣＰＵなどを含む回路である。
【００６９】
本体制御通信Ｉ／Ｆ５０６は、ジョブ制御部５０１に接続され、本体制御通信Ｉ／Ｆ５０６を介して本体（有色画像形成装置１００）から指示される内容がジョブ制御部５０１へ通知される。
【００７０】
ジョブ制御部５０１のプログラムにより、通知された操作モードに応じて片面クリアコート画像形成動作、両面クリアコート画像形成動作などが行われる。ジョブ制御部５０１は、画像制御部５０２、各負荷を駆動制御して画像を形成するプリント制御部５１１と接続される。
【００７１】
画像制御部５０２は、本体画像Ｉ／Ｆ５０９を介して本体から送られてくる画像データをビットマップ画像に展開する。また、画像制御部５０２は、ジョブ制御部５０１で生成されたジョブに従った各画像関連回路の設定を行う回路である。本実施の形態においては、この画像制御部５０２に本体画像Ｉ／Ｆ５０９から送られる画像データは画像メモリ５０３に記憶される。
【００７２】
更に、ＨＤＤに代表されるような不揮発性のメモリで構成される画像蓄積部５０５の設定や画像メモリ５０３からのビットマップ画像データを圧縮して画像蓄積部５０５へ送り込む設定を行う。また、画像蓄積部５０５からの圧縮画像データを伸長して再び画像メモリ５０３へ戻す画像圧縮伸長部５０４の設定も行う。また、実際に画像データを現像し、印字するために、画像メモリ５０３からクリアコート画像データを読み出し、画像処理部５１４で所望の画像処理を行う。
【００７３】
プリント制御部５１１では、ジョブ制御部５０１から指示された内容で設定される画像制御部５０２の各設定に従って、最終的にプリント画像制御部５１３によって送出されてくる各色の画像データを受け取り、プリント画像制御部５１３に指示を出す。
【００７４】
また、プリント画像制御部５１３では、プリント制御部５１１からの指示に従って、画像データを感光体の感度特性が反映されているＬＵＴ５１５の設定を行う。このＬＵＴ５１５は、感光体上の感度特性の変化や、レーザー露光量、一次帯電器からの帯電量などが変化することによって、画像の濃度が所望の濃度にならない場合に、入力される画像データに対して画像濃度を変化させ、所望の濃度が出るように変換する。この各色のＬＵＴ５１５を経由した画像データが、レーザー５１６に出力され、現像器２１３により、感光体上に潜像形成される。
【００７５】
更に、プリント制御部５１１は、用紙搬送制御部５１２に対して以下の制御を行う。即ち、プリント画像制御部５１４と同期させて、有色画像形成装置１００から搬送された用紙に対して、中間転写体２１８上に結像されたクリアコート画像を転写し、印字を行い、定着器２４５を通して、用紙上に画像を作像するように制御を行う。
【００７６】
以下、折りモード時のクリアコート画像動作を説明する。
【００７７】
便宜上、有色画像形成装置１００で形成される画像は、一面均一の画像としている。
【００７８】
＜画像転送あり例＞
操作部４００から折りモードを含んだモードが指定された時（ここでは副走査方向の中心で折り曲げるモードとする）、有色画像形成装置１００では、図５（ａ）のように、用紙に対して、余白分を除いた全面に均一の画像を載せる。ここで点線は折り曲げる位置を示しており、用紙の副走査長をＸ、副走査方向余白部分を除いた副走査画像長をＺ、主走査方向余白部分を除いた主走査画像長をＷとしている。
【００７９】
有色画像形成装置１００では、図５（ｂ）のように、ＹＭＣＫの４色の画像を展開する。ここでは、明示的に余白イメージを出すために、仮想的に用紙があるような図にしているが用紙は１枚である。
【００８０】
ＹＭＣＫの４色に画像展開する時に、図５（ｃ）のようなクリアコート画像データを作成するために、副走査用紙長Ｘの中心である用紙端からＸ／２の位置を中心とし、Ｘ／２−３ｍｍからＸ／２＋３ｍｍになるように副走査画像を作成する。主走査方向Ｗは、ＹＭＣＫの有色画像と同じとする。
【００８１】
有色画像形成装置１００から、本体制御通信Ｉ／Ｆ５０６を介して、クリアコート画像形成装置２００のジョブ制御部５０１に、クリアコート画像を形成する指示を転送する。また、クリアコート画像を形成するためのクリアコート画像データを、本体画像Ｉ／Ｆ５０９を介して、クリアコート画像形成装置２００の画像制御部５０２及び画像メモリ５０３に転送する。
【００８２】
有色画像形成装置１００では、ＹＭＣＫ４色を印字（画像形成）し（図５（ｂ）の４色画像の重ね合わせ）、出力する。有色画像形成装置１００から出力された用紙に対して、クリアコート画像形成装置２００では、図５（ｃ）のクリアコート画像を形成する。クリアコート画像形成装置２００から出力される用紙は、図６（ｂ）のように＜中心±３ｍｍにクリアコート画像が載った画像になる。
【００８３】
＜画像転送なし例＞
有色画像形成装置１００では、図７（ａ）のように、用紙に対して、余白分を除いた全面に均一の画像を載せるために、画像信号が用紙サイズＸより余白分除いた長さＺの区間、濃度レベルが同じの画像信号を発生させる。この信号を基にレーザー４１６で画像形成を行い、転写定着することにより、図７（ｂ）のように、用紙上に画像が形成される。
【００８４】
ここで、操作部４００により折りモードを含んだモードが指定された時（ここでは、A３サイズを副走査方向の中心で折り曲げるモードとする）、有色画像形成装置１００から、本体制御通信Ｉ／Ｆ５０６を介してクリアコート画像形成装置２００に指示がなされる。
【００８５】
具体的には、ジョブ制御部５０１に、用紙サイズＸ、折りに関係しない方向（ここでは主走査）の画像サイズＷ、副走査方向の中心位置近傍（ここでは±３ｍｍとする）にクリアコート画像を形成する指示がなされる。
【００８６】
クリアコート画像形成装置２００では、有色画像形成装置１００で印字された図７（ｂ）のような画像付き用紙に対して、図６（ｂ）のように用紙サイズＸの中心位置の±３ｍｍの幅でクリアコート画像を形成する。
【００８７】
具体的には、有色画像形成装置１００から出力された用紙に対して、Ｘ／２−３ｍｍの位置からＸ／２＋３ｍｍの位置の区間、クリアコート画像を形成するように、図６（ａ）に示すごとく画像信号を作成し、この信号を基にレーザーで画像形成を行う。クリアコート画像形成装置２００から出力される用紙は、図６（ｂ）のように、中心±３ｍｍにクリアコート画像が載った画像になる。
【００８８】
４枚で形成される製本の場合、図８（ａ）のように、製本された時に、表紙の外側と、最内側用紙の内側にクリアコート画像を形成する。外側を表面としたときに、図８（ｂ）のように、表紙の表面及び、最内側用紙の裏目にクリアコート画像を２ページに印刷する。
【００８９】
この場合、有色画像形成装置１００から最初に出力された用紙と、最後に出力された用紙に対して、副走査方向中心±３ｍｍの範囲にクリアコート画像を形成することになる。したがって、最初と最後のページに対して、クリアコート画像を形成するように、ジョブ制御部５０１でスケジューリングを行う。
【００９０】
図９は、操作部により折りモードを含んだモードが指定された時、有色画像形成装置で画像を展開する時に、折り位置中心近傍に有色トナーが無い場合の画像イメージを示す図である。
【００９１】
この場合、クリアコート画像形成装置２００に対して、有色画像形成装置１００からクリアコート画像形成が不要である指示が転送され、折り位置中心近傍にクリアコート画像は形成されない。
【００９２】
また、本発明で使用するクリアトナーは樹脂を含んだトナーであっても良い。
【００９３】
以上述べてきたように、用紙の折り位置にのみクリアコート画像を形成することにより、クリアトナーの消費量を抑えながらも有色画像をコーティングして、トナー剥れを防ぐことができる。また、クリアトナーであるため、有色トナーで形成された画像を乱すこともない。
【図面の簡単な説明】
【００９４】
【図１】本発明の実施の形態に係る画像形成システムの構成を概略的に示す図である。
【図２】図１における有色画像形成装置の操作部パネルを示す図である。
【図３】図１における有色画像形成装置の回路構成を概略的に示す図である。
【図４】図１におけるクリアコート画像形成装置の回路構成を概略的に示す図である。
【図５】図１における有色画像形成装置とクリアコート画像形成装置の有色画像イメージとクリアコート画像イメーシを示す図である。
【図６】図１におけるクリアコート画像形成装置の画像信号、生成物を示す図である。
【図７】図１における有色画像形成装置の画像信号、生成物を示す図である。
【図８】図１における製本装置の製本イメージを示す図である。
【図９】図１における製本装置の折りモード時の折り位置に有色画像がない場合を示す図である。
【符号の説明】
【００９５】
１００  有色画像形成装置
２００  クリアコート画像形成装置
４０１  有色画像形成装置のジョブ制御部（制御手段構成要素）
５０１  クリアコート画像形成装置のジョブ制御部（制御手段構成要素）
６００  製本装置
【図１】
2007322819.tif 000003
【図２】
2007322819.tif 000004
【図３】
2007322819.tif 000005
【図４】
2007322819.tif 000006
【図５】
2007322819.tif 000007
【図６】
2007322819.tif 000008
【図７】
2007322819.tif 000009
【図８】
2007322819.tif 000010
【図９】
2007322819.tif 000011